(57)【要約】【課題】メインコンデンサに充電されている電荷を簡単かつ確実に放電させることができる照明装置を提供する。【解決手段】本発明に係わる照明装置（１）は、電源電圧を昇圧して充電用の電圧を出力する昇圧回路（１０）と、前記充電用の電圧により充電されるメインコンデンサ（ＭＣ）と、前記メインコンデンサに充電された電圧を放電するための放電部（Ｒ）を備え、前記メインコンデンサが充電規制電圧以上に充電されるのに応じて、前記メインコンデンサと前記放電部との間を導通させ、当該メインコンデンサに充電された電圧を前記放電部により放電させる安全回路（３０）と、照明装置の外観を形成する外観部材の一部（２）が取り外されるのに応じて、前記メインコンデンサと前記放電部との間を導通させ、前記メインコンデンサに充電された電圧を前記放電部により放電させる放電切替手段（６０）と、を備える。【選択図】図１
2011123206.tif 000002
【特許請求の範囲】
【請求項１】
電源電圧を昇圧して充電用の電圧を出力する昇圧回路と、
前記充電用の電圧により充電されるメインコンデンサと、
前記メインコンデンサに充電された電圧を放電するための放電部を備え、前記メインコンデンサが充電規制電圧以上に充電されるのに応じて、前記メインコンデンサと前記放電部との間を導通させ、当該メインコンデンサに充電された電圧を前記放電部により放電させる安全回路と、
照明装置の外観を形成する外観部材の一部が取り外されるのに応じて、前記メインコンデンサと前記放電部との間を導通させ、前記メインコンデンサに充電された電圧を前記放電部により放電させる放電切替手段と、
を備えることを特徴とする照明装置。
【請求項２】
請求項１に記載の照明装置において、
前記放電切替手段は、前記外観部材の一部の取り外しに応じて、前記電源電圧が前記昇圧回路へ供給されるのを遮断することを特徴とする照明装置。
【請求項３】
請求項１または２に記載の照明装置において、
前記放電切替手段は、前記メインコンデンサと前記放電部との間の導通を制御するスイッチング素子と、前記外観部材の一部を当該照明装置に取り付けるためのネジ部材と、前記ネジ部材が前記照明装置から取り外されるのに応じて、前記スイッチング素子の導通制御電極と接地電位の電極端子とを接続させる導通切替部材と、を含み、
前記ネジ部材が前記照明装置から取り外されたときは、前記導通切替部材により前記スイッチング素子の導通制御電極と前記接地電位の電極端子とを接続させて、前記メインコンデンサの充電電圧を、前記スイッチング素子を介して前記放電部により放電させることを特徴とする照明装置。
【発明の詳細な説明】
【技術分野】
【０００１】
本発明は、照明装置に関するものである。
【背景技術】
【０００２】
写真撮影用の照明装置は、キセノン管を発光させるためのメインコンデンサを備えている。メインコンデンサは高電圧を発生するため、修理のために内部を開ける際には、感電を防止するために、メインコンデンサに充電された電荷を放電する必要がある。
【０００３】
従来、修理時の感電防止のために、外装部材が取り外されたことが検知されると、ＣＰＵがメインコンデンサに充電された電荷を放電するように制御するストロボ回路が開示されている（特許文献１参照）。また、カメラのカバーを取り外したときに、メインコンデンサに充電された電荷を放電させる放電用導電領域を露出させ、そこに放電ピンを接触させることでメインコンデンサに充電された電荷を放電させるようにしたカメラが開示されている（特許文献２参照）。
【先行技術文献】
【特許文献】
【０００４】
【特許文献１】特開２００１−８３５８１号公報
【特許文献２】特開２００１−２４２５１２号公報
【発明の概要】
【発明が解決しようとする課題】
【０００５】
上記特許文献１に開示されたストロボ回路は、メインコンデンサに充電された電荷を放電するための放電回路を設けている。この放電回路はＣＰＵにより作動するため、電源となる電池が装填されていない場合は放電回路を作動させることができない。また、ＣＰＵの機能に異常が発生した場合は、外装部材の取り外しを判定したり、放電回路を作動させたりすることができないおそれがある。
【０００６】
上記特許文献２に開示されたカメラは、メインコンデンサに充電された電荷を放電させるための放電用抵抗や放電ピンなどの部品がカメラ本体とは別に必要となる。また、メインコンデンサに充電された電荷を放電するために、放電ピンをカメラの放電用導電領域に接触させる作業を行う必要がある。
【０００７】
本発明の課題は、メインコンデンサに充電されている電荷を簡単かつ確実に放電させることができる照明装置を提供することにある。
【課題を解決するための手段】
【０００８】
本発明は、以下のような解決手段により前記課題を解決する。なお、理解を容易にするために、本発明の実施形態に対応する符号を付して説明するが、これに限定されるものではない。
請求項１に記載の発明は、電源電圧を昇圧して充電用の電圧を出力する昇圧回路（１０）と、前記充電用の電圧により充電されるメインコンデンサ（ＭＣ）と、前記メインコンデンサに充電された電圧を放電するための放電部（Ｒ）を備え、前記メインコンデンサが充電規制電圧以上に充電されるのに応じて、前記メインコンデンサと前記放電部との間を導通させ、当該メインコンデンサに充電された電圧を前記放電部により放電させる安全回路（３０）と、照明装置の外観を形成する外観部材の一部（２）が取り外されるのに応じて、前記メインコンデンサと前記放電部との間を導通させ、前記メインコンデンサに充電された電圧を前記放電部により放電させる放電切替手段（６０）と、を備えることを特徴とする照明装置（１）である。
請求項２に記載の発明は、請求項１の照明装置（１）において、前記放電切替手段（６０）は、前記外観部材の一部（２）の取り外しに応じて、前記電源電圧が前記昇圧回路（１０）へ供給されるのを遮断することを特徴とする。
請求項３に記載の発明は、請求項１または２の照明装置（１）において、前記放電切替手段（６０）は、前記メインコンデンサ（ＭＣ）と前記放電部（Ｒ）との間の導通を制御するスイッチング素子（ＳＷ）と、前記外観部材の一部（２）を当該照明装置に取り付けるためのネジ部材（３）と、前記ネジ部材が前記照明装置から取り外されるのに応じて、前記スイッチング素子の導通制御電極と接地電位の電極端子とを接続させる導通切替部材（６４）と、を含み、前記ネジ部材が前記照明装置（１）から取り外されたときは、前記導通切替部材により前記スイッチング素子の導通制御電極と前記接地電位の電極端子とを接続させて、前記メインコンデンサの充電電圧を、前記スイッチング素子を介して前記放電部により放電させることを特徴とする。
なお、符号を付して説明した構成は、適宜改良してもよく、また、少なくとも一部を他の構成物に代替してもよい。
【発明の効果】
【０００９】
本発明によれば、メインコンデンサに充電されている電荷を簡単かつ確実に放電させることができる照明装置を提供することができる。
【図面の簡単な説明】
【００１０】
【図１】実施形態に係わる照明装置の構成を示すブロック図である。
【図２】（ａ）、（ｂ）は実施形態における放電切替機構の概略構成を示す断面図である。
【発明を実施するための形態】
【００１１】
以下、図面を参照して、本発明に係わる照明装置の実施形態について説明する。図１は、本実施形態に係わる照明装置の構成を示すブロック図である。図１では、実施形態の説明に必要な部分のみを図示し、他の構成部材や周辺回路などについては適宜に図示と説明を省略する。
【００１２】
照明装置１は、電池（電源）Ｂと、昇圧回路１０と、メインコンデンサＭＣと、発光回路２０と、安全回路３０とを備える。本実施形態の照明装置１は、不図示のカメラ本体のアクセサリシューに取り付ける、外付け型の照明装置である。ユーザがカメラ本体のレリーズボタンをレリーズ操作すると、カメラ本体からアクセサリシューに発光開始信号が送信される。照明装置１は、アクセサリシューを介して発光開始信号を受信すると、後述の発光回路２０においてキセノン管を発光させる。
【００１３】
昇圧回路１０は、電源電圧を昇圧して充電用の電圧を出力する回路である。昇圧回路１０は、不図示のＤＣ−ＤＣコンバータを備える。ＤＣ−ＤＣコンバータは、電池Ｂから供給された直流の電源電圧を不図示のトランスで昇圧する。昇圧された電源電圧は、メインコンデンサＭＣに電荷として充電される。
【００１４】
昇圧回路１０は、メインコンデンサＭＣの充電電圧が３３０Ｖ（規定電圧値）に達すると、不図示のＣＰＵの制御により、昇圧動作を停止する。また、昇圧回路１０は、メインコンデンサＭＣの充電電圧が３５０Ｖ（過充電電圧値）以上になると、後述するＭＣ過電圧検出回路４０の作動により、昇圧動作を停止する。
【００１５】
発光回路２０は、不図示のキセノン管、トリガ回路、発光制御回路などで構成されている。発光回路２０は、カメラ本体から上述した発光開始信号を受信すると、トリガ回路からキセノン管のトリガ電極に電圧を印加する。これによりキセノン管の内部は放電状態となる。このとき、メインコンデンサＭＣからキセノン管に高電圧大電流が出力されることにより、キセノン管が発光する。
【００１６】
安全回路３０は、ＭＣ過電圧検出回路４０と、ＭＣ放電回路５０とを備える。安全回路３０は、不図示の照明装置ＣＰＵの機能に異常が発生した場合でも、メインコンデンサＭＣに過電圧が充電されると電荷を放電させるように構成されている。
【００１７】
ＭＣ過電圧検出回路４０は、メインコンデンサＭＣの両端の電圧をモニタして、メインコンデンサＭＣの充電電圧が３５０Ｖに達したかどうかを検出する回路である。ＭＣ過電圧検出回路４０は、メインコンデンサＭＣの充電電圧が３５０Ｖに達したことを検出すると、ＭＣ放電回路５０にＬｏｗレベルの制御信号を出力して、メインコンデンサＭＣに充電された電荷をＭＣ放電回路５０により放電させる。また同時に、昇圧回路１０の昇圧動作を停止させる。
【００１８】
なお、ＭＣ過電圧検出回路４０は、メインコンデンサＭＣの充電電圧が３５０Ｖに達していない場合は、ＭＣ放電回路５０にＨｉｇｈレベルの制御信号を出力する。後述するように、Ｈｉｇｈレベルの制御信号が出力されたときは、メインコンデンサＭＣに充電された電荷の放電や、昇圧動作の停止は行われない。すなわち、メインコンデンサＭＣの充電電圧が３５０Ｖに達しないときは、メインコンデンサＭＣに充電された電荷は保持される。
【００１９】
ＭＣ放電回路５０は、放電抵抗Ｒと、スイッチング素子ＳＷと、放電切替機構６０とを備える。ＭＣ放電回路５０は、メインコンデンサＭＣに充電された電荷を放電させる回路である。メインコンデンサＭＣに充電された電荷の放電は、メインコンデンサＭＣの充電電圧が３５０Ｖに達した場合、または後述するように、照明装置１のカバーを止めるネジが取り外された場合のいずれかにおいて実行される。
【００２０】
ＭＣ放電回路５０において、スイッチング素子ＳＷのベース端子（Ｂ）には、ＭＣ過電圧検出回路４０からＨｉｇｈまたはＬｏｗレベルの制御信号を印加される。ベース端子（Ｂ）は、スイッチング素子ＳＷの導通制御端子である。
【００２１】
スイッチング素子ＳＷのベース端子（Ｂ）に、Ｈｉｇｈレベルの制御信号が印加されると、スイッチング素子ＳＷのエミッタ端子（Ｅ）とコレクタ端子（Ｃ）との間は非導通となる。また、スイッチング素子ＳＷのベース端子（Ｂ）に、Ｌｏｗレベルの制御信号が印加されると、スイッチング素子ＳＷのエミッタ端子（Ｅ）とコレクタ端子（Ｃ）との間は導通する。
【００２２】
スイッチング素子ＳＷのエミッタ端子（Ｅ）とコレクタ端子（Ｃ）との間が非導通のときは、メインコンデンサＭＣと放電抵抗Ｒとの間も導通しないため、メインコンデンサＭＣに充電された電荷は放電抵抗Ｒに流れることがない。したがって、メインコンデンサＭＣに充電された電荷は保持される。また、スイッチング素子ＳＷのエミッタ端子（Ｅ）とコレクタ端子（Ｃ）との間が導通すると、メインコンデンサＭＣと放電抵抗Ｒとの間も導通するため、メインコンデンサＭＣに充電された電荷は放電抵抗Ｒに流れる。したがって、メインコンデンサＭＣに充電された電荷は放電抵抗Ｒで放電する。
【００２３】
すなわち、メインコンデンサＭＣの充電電圧が３５０Ｖに達していない場合は、ＭＣ過電圧検出回路４０からＭＣ放電回路５０にＨｉｇｈレベルの制御信号を出力される。このため、ＭＣ放電回路５０では、メインコンデンサＭＣに充電された電荷が放電抵抗Ｒに流れないため、メインコンデンサＭＣに充電された電荷は放電されない。一方、メインコンデンサＭＣの充電電圧が３５０Ｖに達すると、ＭＣ過電圧検出回路４０からＭＣ放電回路５０にＬｏｗレベルの制御信号を出力される。このため、ＭＣ放電回路５０では、メインコンデンサＭＣに充電された電荷が放電抵抗Ｒに流れ、メインコンデンサＭＣに充電された電荷は放電される。
【００２４】
また、スイッチング素子ＳＷのエミッタ端子（Ｅ）またはコレクタ端子（Ｃ）は、昇圧回路１０に設けられた不図示のスイッチング素子（以下、昇圧スイッチング素子という）のベース端子（Ｂ）と接続されている。昇圧スイッチング素子のベース端子（Ｂ）は、スイッチング素子ＳＷのエミッタ端子（Ｅ）とコレクタ端子（Ｃ）との間が導通していないときはＬｏｗレベルとなる。このとき、昇圧スイッチング素子の不図示のエミッタ端子（Ｅ）とコレクタ端子（Ｃ）との間は導通し、電池Ｂから昇圧回路１０へ電源電圧が供給される。すなわち、昇圧スイッチング素子のベース端子（Ｂ）がＬｏｗレベルときは、昇圧回路１０での昇圧動作が行われる。
【００２５】
一方、上述したように、ＭＣ放電回路５０において、スイッチング素子ＳＷのエミッタ端子（Ｅ）とコレクタ端子（Ｃ）との間が導通すると、昇圧スイッチング素子のベース端子（Ｂ）がＨｉｇｈレベルとなる。これにより、昇圧スイッチング素子のエミッタ端子（Ｅ）とコレクタ端子（Ｃ）との間は非導通となり、電池Ｂから昇圧回路１０への電源電圧の供給が遮断される。すなわち、昇圧スイッチング素子のベース端子（Ｂ）がＨｉｇｈレベルになると、昇圧回路１０での昇圧動作が停止される。このように、放電切替機構６０の作動によりメインコンデンサＭＣに充電された電荷がＭＣ放電回路５０で放電されると、同時に昇圧回路１０の昇圧動作も停止する。
【００２６】
次に、放電切替機構６０の構成について説明する。図２（ａ）、（ｂ）は、本実施形態における放電切替機構６０の概略構成を示す断面図である。図２（ａ）はビスが取り付けられているときの状態を示し、図２（Ｂ）はビスが取り外されたときの状態を示している。
【００２７】
放電切替機構６０は、ＭＣ放電回路５０の回路基板６１上に設けられている。回路基板６１は、カバー２の内側に配置されている。カバー２は、照明装置１の外観を形成する外観部材の一部である。修理者は、カバー２を取り外すことにより、内部に配置された回路や部材などの点検、修理または交換などの作業を行うことができる。
【００２８】
回路基板６１には、スイッチング素子ＳＷのベース端子（Ｂ）６２が形成されている。ベース端子（Ｂ）６２は、回路基板６１の表面（図中上側）と裏面（図中下側）に形成されている。回路基板６１の表面と裏面とに形成されたベース端子（Ｂ）６２は、回路基板６１のスルーホール６１ａを介して導通している。また、図２（ａ）に示すように、回路基板６１には、カバー２を回路基板６１に止めるためのビス３が取り付けられている。ビス３は、カバー２を回路基板６１に止めるために、図２（ａ）の位置まで回路基板６１にネジ込まれている。
【００２９】
回路基板６１の裏面には、ベース端子（Ｂ）６２と離れた位置に接地端子（ＧＮＤ）６３が形成されている。また、回路基板６１の裏面には、導通切替部材としての接続電極６４が設けられている。接続電極６４は、支持機構６５により図中の矢印方向（回路基板６１側）に付勢された状態で支持されている。接続電極６４の先端は、図２（ａ）に示すように、ビス３が回路基板６１にネジ込まれた状態では、ビス３の先端と係合している。
【００３０】
接続電極６４は、ビス３が取り付けられている状態では、支持機構６５を支点として、ビス３の先端により図中下側に押し込まれ、図２（ａ）の位置に停止している。すなわち、図２（ａ）の状態では、接続電極６４は回路基板６１側への回動が規制されている。
【００３１】
カバー２は、照明装置１を分解する時に最初に取り外すカバー、またはメインカバーに相当する。ビス３は、カバー２の周囲に複数配置されている。放電切替機構６０は、それぞれのビス３が取り付けられた位置に設けられる。この構成によれば、修理者がいずれか一つのビス３を取り外すと、後述するように、メインコンデンサＭＣに充電された電荷の放電が開始される。
【００３２】
次に、上記のように構成された放電切替機構６０の作用について説明する。図２（ａ）に示すように、ビス３が取り付けられた状態では、スイッチング素子ＳＷのベース端子（Ｂ）６２と接地端子６３とは接触していない。このため、ビス３が取り付けられた状態では、メインコンデンサＭＣの充電電圧が３５０Ｖに達しない限り、スイッチング素子ＳＷのベース端子（Ｂ）６２がＬｏｗレベルになることがない。つまり、図２（ａ）の状態では、異常発生によりメインコンデンサＭＣの充電電圧が３５０Ｖに達したときのみ、メインコンデンサＭＣに充電された電荷の放電が行われる。
【００３３】
一方、修理者などが修理のためにカバー２のビス３を取り外すと、図２（ｂ）に示すように、接続電極６４とビス３との係合が解除される。接続電極６４は、回路基板６１側に回動して、スイッチング素子ＳＷのベース端子（Ｂ）６２および接地端子６３と接触する。この結果、接続電極６４を介して、ベース端子（Ｂ）６２と接地端子６３とが電気的に導通する。
【００３４】
これにより、図１に示すスイッチング素子ＳＷのベース端子（Ｂ）６２がＬｏｗレベル（接地電位）となり、エミッタ端子（Ｅ）とコレクタ端子（Ｃ）との間が導通する。スイッチング素子ＳＷのエミッタ端子（Ｅ）とコレクタ端子（Ｃ）との間が導通すると、メインコンデンサＭＣに充電された電荷が放電抵抗Ｒに流れ、メインコンデンサＭＣに充電された電荷は放電される。また、上述したように、スイッチング素子ＳＷのエミッタ端子（Ｅ）とコレクタ端子（Ｃ）との間が導通することにより、昇圧回路１０における昇圧動作も停止する。
【００３５】
したがって、修理者がカバー２を止めているすべてのビス３を取り外して、内部に配置された回路や部材などに手を触れるときには、メインコンデンサＭＣに充電された電荷は放電されていることになる。このため、修理者は、メインコンデンサＭＣに充電された電荷により感電することなく、安全に作業を行うことができる。また、修理者が再びカバー２をビス３で取り付けると、ベース端子（Ｂ）６２と接地端子６３との間が非導通となる。これにより、スイッチング素子ＳＷのベース端子（Ｂ）６２は、ＭＣ過電圧検出回路４０から出力されるＨｉｇｈまたはＬｏｗの制御信号に応じて制御される。
【００３６】
上述した実施形態によれば、以下の効果を奏する。
（１）照明装置１のカバー２を止めているビス３を取り外すと、放電切替機構６０により、メインコンデンサＭＣと放電抵抗Ｒとの間が導通して、メインコンデンサＭＣに充電された電荷が安全回路３０で放電される。このため、修理時に、メインコンデンサＭＣに充電された電荷を放電させるための部品を用意する必要がなく、修理者が電荷を放電させるための作業も省くことができる。また、電池が装填されていない場合やＣＰＵの機能に異常が発生した場合でも、ビス３が取り外されると、スイッチング素子ＳＷのベース端子（Ｂ）は、接続電極６４の機械的な回動により強制的に接地電位となる。このため、メインコンデンサＭＣに充電された電荷を安全回路３０で確実に放電させることができる。したがって、本実施形態に係わる照明装置１によれば、メインコンデンサＭＣに充電されている電荷を簡単に、かつ確実に放電させることができる。
（２）メインコンデンサＭＣに充電された電荷を安全回路３０で放電させるため、修理時の感電防止のために放電回路を設ける必要がない。したがって、特許文献１に開示されたストロボ回路のように、専用の放電回路を備えた構成に比べて回路構成を簡素化することができる。
（３）照明装置１のカバー２を止めているビス３を取り外すと、放電切替機構６０により、電池Ｂから昇圧回路１０への電源電圧の供給も遮断される。このため、メインコンデンサＭＣへの不要な電荷の充電を防ぐことができる。また、昇圧回路１０において余分な電力消費を抑えることができる。
（４）放電切替機構６０は、カバー２を照明装置１に止めているビス３と、このビス３が取り外されるのに応じて、スイッチング素子ＳＷのベース端子（Ｂ）と接地端子６３とを接続させる接続電極６４とを備えている。修理時にカバー２を取り外すときは、ビス３は必ず取り外されるため、放電のための部品を用意したり、放電のための別の作業を行うことが不要となる。すなわち、修理者は、通常の分解作業を行うだけでよく、修理時における手間や時間を増やすことなしに、メインコンデンサＭＣに充電された電荷を放電させることができる。
（変形形態）
【００３７】
以上説明した実施形態に限定されることなく、本発明は以下に示すような種々の変形や変更が可能であり、それらも本発明の範囲内である。
（１）本実施形態では、カバー２の周囲に複数配置したビス３のいずれか一つが取り外されたときに、メインコンデンサＭＣに充電された電荷を放電するようにしているが、これに限らず、任意に設定した一つのビスが取り外されたときに、メインコンデンサＭＣに充電された電荷を放電するようにしてもよい。また、スイッチング素子ＳＷのベース端子（Ｂ）を接地電位とするためには、図２に示すようなビス構造に限らず、照明装置１からカバー２を取り外したときに、スイッチング素子ＳＷのベース端子（Ｂ）６２と接地端子６３とを電気的に導通させるスイッチ構造を用いてもよい。または、照明装置１からカバー２を取り外したときに、磁力により係合していた部材が離間することにより、スイッチング素子ＳＷのベース端子（Ｂ）６２と接地端子６３とが接触する構造を用いることもできる。このように、放電切替機構６０は、照明装置１からカバー２を取り外したときに、スイッチング素子ＳＷのベース端子（Ｂ）６２と接地端子６３とを機械的に接触または電気的に導通させることができれば、どのような構造であってもよい。また、不図示の電池ケースから電池Ｂが外され、かつカバー２を止めているビス３が取り外されたときに、メインコンデンサＭＣに充電された電荷を放電するようにしてもよい。このように、他の要件を含めることにより、照明装置１を分解したときの安全性をより高めることができる。
（２）本実施形態では、カメラ本体のアクセサリシューに取り付けられる照明装置を例として説明したが、これに限らず、カメラ内蔵の照明装置にも適用することもできる。
【００３８】
また、上記実施形態および変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００３９】
１：照明装置、２：カバー、３：ビス、１０：昇圧回路、２０：発光回路、３０：安全回路、４０：過電圧検出回路、５０：放電回路、６０：放電切替機構、６１：回路基板、６３：接地端子、６４：接続電極、６５：支持機構、Ｂ：電池、ＳＷ：スイッチング素子、Ｒ：放電抵抗
【図１】
2011123206.tif 000003
【図２】
2011123206.tif 000004